(57)【要約】【課題】エレベーターの制御プログラムの書き換え作業において、エレベーター保守会社の技術員が、当該エレベーターが設置されている建物に出向くことを必要とせず、且つ当該エレベーターを使用不可とすることなく、安全に且つ確実に書き換え作業を行うことができるエレベーター制御プログラム書き換え装置を提供する。【解決手段】エレベーター１の運転状態、乗りかご２内の防犯カメラ３から取り込んだかご内映像、及び、乗りかご２内に設置された通話装置を使用し、遠隔で現在のエレベーター１の状態、及び乗りかご２内の状態を確認可能とした監視センター装置３１から、エレベーターの状態を確認した上で、エレベーター制御プログラムの書き換え作業を実施し、書き換え結果を監視センター装置３１に通知する手段を設けることにより実現できる。【選択図】図１
2007001734.tif 000002
【特許請求の範囲】
【請求項１】
エレベーターの運転制御を行う制御装置と、この制御装置に接続され、エレベーターの異常監視を行う遠隔監視端末と、一般公衆回線を介して、遠隔でエレベーターの異常監視を行う遠隔監視センター装置において、
前記エレベーターの機能改善または、機能追加を行うために、前記エレベーターの制御プログラムの書き換えを行うとき、前記遠隔監視センター装置から、一般公衆回線及び、前記遠隔監視端末を介して、前記エレベーターの新しい制御プログラムを伝送し、エレベーターの運行状態、かご内の映像及び、音声を確認したうえで、前記伝送した新しいエレベーターの制御プログラムを有効にする指令を送信することにより、遠隔でエレベーターの制御プログラムの書き換えが実施可能なエレベーター制御プログラム書き換え装置。
【発明の詳細な説明】
【技術分野】
【０００１】
本発明は、エレベーターの制御プログラム書き換え装置に係わり、特に、エレベーターの制御プログラムを、一般公衆回線を利用して遠隔で書き換える際、安全に且つ確実に書き換えることのできるエレベーター制御プログラム書き換え装置に関する。
【背景技術】
【０００２】
近年のエレベーターのマイコン化に伴い、一般に、エレベーターの制御機能改善、または機能追加のために、エレベーターの制御プログラムの書き換えを行う場合、エレベーター保守会社の技術員が、当該エレベーターが設置されている建物に出向き、エレベーターを停止させ、エレベーターの制御プログラムを書き換える装置を使用して書き換えるのが一般的である。
【０００３】
ところが、当該エレベーター制御プログラム書き換え作業のための作業時間の高効率化、及びエレベーター停止時間の削減が求められる。
【０００４】
ところで、エレベーターの保守会社が、エレベーターの異常監視を行うひとつの手段として、一般公衆回線を利用した遠隔監視を導入しているのが一般的となってきており、当該エレベーターに接続されている遠隔監視端末を介して、当該エレベーターが設置されている建物に出向くことなく、当該エレベーターの状態を監視することができる技術が確立され実用化されている。
【０００５】
前記遠隔監視の技術の応用として、例えば、遠隔でエレベーターの状態データを読み出し、遠隔でエレベーターの制御を実施し、安全に遠隔でエレベーターの閉じ込め救出を行う技術が公開されている（特許文献１参照）。
【特許文献１】特開２００２−２８４４６１公開（段落０００７〜０００８、図１）
【発明の開示】
【発明が解決しようとする課題】
【０００６】
前記エレベーターの制御プログラムの書き換え手段では、エレベーター保守会社の技術員が、当該エレベーターが設置されている建物に出向く必要があり、さらに制御プログラムを書き換える時には、一定時間エレベーターを停止させる必要があるため、書き換えの作業効率が悪く、エレベーターを利用する人に不便が生ずる。
【０００７】
本発明は、このような問題を解決するもので、その目的は、エレベーターの制御機能改善、または機能追加のために、エレベーターの制御プログラムの書き換えを行う場合、エレベーター保守会社の技術員が、当該エレベーターが設置されている建物に出向くことを必要とせず、且つ当該エレベーターを使用不可とすることなく、安全にかつ確実にエレベーターの制御プログラムの書き換えを行うことができるエレベーター制御プログラム書き換え装置を提供することにある。
【課題を解決するための手段】
【０００８】
前記目的を達成させるために、本発明によるエレベーター制御プログラム書き換え装置は、少なくとも、エレベーター側に制御プログラムを格納する記憶部及び、新しい制御プログラムを格納する第２の記憶部を備える。また、前記エレベーターには遠隔監視端末が接続され、一般公衆回線を介して、エレベーター保守会社の監視センター装置と接続されている。さらに前記エレベーターには、前記遠隔監視端末及び、前記一般公衆回線を介して、エレベーターかご内の映像を前記監視センター装置に取り込むカメラ装置及び、エレベーターかご内と前記監視センター装置を操作する技術員と通話を可能とする通話装置を具備している。
【発明の効果】
【０００９】
本発明によれば、エレベーターの制御機能改善、または機能追加のために、エレベーターの制御プログラムの書き換えを行う場合、エレベーター保守会社の技術員が、当該エレベーターが設置されている建物に出向くことを必要とせず、且つ当該エレベーターを使用不可とすることなく、安全にかつ確実にエレベーターの制御プログラムの書き換えを行うことができるエレベーター制御プログラム書き換え装置を提供することができる。
【発明を実施するための最良の形態】
【００１０】
以下、本発明の実施の形態を、図面を参照して説明する。
【００１１】
図１は、本発明によるエレベーター制御プログラム書き換え装置の一つの実施の形態を示す、ブロック構成図であり、図２は一つの運用形態を示すフロー図である。
【００１２】
図１において、１は昇降路を含むエレベーター全体部、２はエレベーター乗りかご、３はかご内映像を取り込む防犯カメラ、４はかご内と音声通話を行う通話装置、５はエレベーター遠隔監視装置と通信を行う通信部、６はエレベーターの運転制御を行う制御部、７はエレベーターの運転制御を行うための制御プログラムを格納する第１記憶部、８はエレベーターの機能改善、または機能追加を行った新しい制御プログラムを格納する第２記憶部、１１はエレベーターの異常監視を行う遠隔監視端末、１２は遠隔監視端末１１の制御を行う制御部、１３は一般公衆回線接続する第１通信部、１４はエレベーターと通信を行う第２通信部、２１は一般公衆回線、３１はエレベーターの運転状態を遠隔で監視する監視センター装置、３２は監視センター装置３１を制御する制御部、３３は一般公衆回線と接続する通信部、３４は監視センター装置３１の入力操作を行う入力部、３５は監視センター装置の操作状態、及び制御結果を表示する表示部、３６は機能改善、または機能追加を行ったエレベーター１の新しいプログラムを格納する記憶部、３７は乗りかご２内の通話装置４と通話を行うための通話装置、４１は監視センター装置の操作、及び操作結果の確認を行う作業員である。
【００１３】
作業員４１は監視センター装置３１を操作することにより、一般公衆回線２１を介してエレベーター１の運転状態確認、及びエレベーター１の制御プログラムの書き換え操作が可能な構成となっている。
【００１４】
エレベーター制御プログラム書き換えを行うときの一つの運用形態を図１のブロック図、及び図２のフロー図を用いて説明する。
【００１５】
エレベーター制御プログラムの書き換えを行うとき、フロー図のＳ１１において、作業員４１は監視センター装置３１を操作して、事前に監視センター装置３１の記憶部３６に格納された新しいエレベーターの制御プログラムを、一般公衆回線２１を介して、遠隔監視装置１１を経由し、エレベーター１の第２記憶部８に遠隔で送信しておく。エレベーター１は送信された新しいエレベーターの制御プログラムを第２記憶部８に格納しておく。次に、書き換え予定日時になったら、Ｓ１２において、作業員４１は遠隔で現在のエレベーターの運転状態を確認する。Ｓ１３において、エレベーター１が待機中かどうかを確認し、大気中でない場合は、Ｓ２１において、書き換え日時の再設定を行い、再設定した書き換え日時になるまで書き換え操作は行わない。Ｓ１３において、エレベーター１が待機中であった場合、Ｓ１４において、作業員４１は乗りかご２内の防犯カメラ３の映像を監視センター装置３１の表示部３５で確認し、乗りかご２内の人の有無を確認する。人が乗っている場合は、Ｓ２１において、書き換え日時の再設定を行い、再設定した書き換え日時になるまで書き換え操作は行わない。人が乗っていない場合、Ｓ１５において、作業員４１は乗りかご２内の通話装置４と監視センター装置３１内の通話装置３７を使用し、乗りかご２内に人が乗っていないか、音声で確認する。音声により人が乗っていることを確認した場合は、Ｓ２１において、書き換え日時の再設定を行い、再設定した書き換え日時になるまで書き換え操作は行わない。人が乗っていない場合、Ｓ１６において、作業員４１は監視センター装置３１の入力部３４を操作し、書き換え開始指令を送信する。書き換え開始指令を受信したエレベーター１は、事前に第２記憶部８に格納してある新しい制御プログラムを、第１記憶部７へのコピーを開始する。Ｓ１７において、書き換えが正常完了した場合、Ｓ１８において、書き換えが正常に完了した旨を遠隔監視端末１１、及び一般公衆回線２１を介して監視センター装置に通知する。また、Ｓ１７において、書き換えが正常に完了しなかった場合、Ｓ２２において、書き換えが異常完了した旨を遠隔監視端末１１、及び一般公衆回線２１を介して監視センター装置に通知する。以上で制御プログラムの書き換え操作が完了となる。
【００１６】
尚、Ｓ１３〜Ｓ１５のエレベーター１の乗りかご２内の人の有無の確認手段における、確認の順序は、前記に示した順序は一例であり、各順序は入れ換えることもできる。
【００１７】
次に、図２のフロー図の、Ｓ１３〜Ｓ１５におけるエレベーター状態を確認するための、監視センター装置の画面例を図３に用いて説明する。
【００１８】
図３において、５１は監視センター装置３１の表示部３５に表示される。エレベーター１の運転状態、及びかご内の状態を確認するための画面例である。５２は乗りかご２の現在の位置、５３は現在のドアの状態、５４は現在のエレベーター１の運転状態、５５は防犯カメラ３で取り込んだ乗りかご内の映像を表示する部分、５６は通話装置３７を使用して、乗りかご２内の通話装置４と通話を行うための操作ボタンである。
【００１９】
前記画面において、エレベーター１の運転状態を確認し、かご内の映像、及び音声を確認することによりかご内の人の有無を確認する。
【００２０】
さらに、前記画面内に書き換えを実行する操作ボタン５７を設けることにより、現在のエレベーター１の状態を確認しつつ、リアルタイムにエレベーター制御プログラムの書き換え操作を行うことができる。
【００２１】
また、前記携帯は、遠隔監視端末を経由したエレベーター制御プログラム書き換え手段の一例を示したが、エレベーター１自体に監視センター装置３１と接続する手段を設けることにより、遠隔監視端末装置を使用せずとも、同等の機能を実現することができる。
【００２２】
さらに、前記携帯は、作業員４１が監視センター装置３１を操作し、人がエレベーターの運転状態、乗りかご内の人の有無の確認を実施する一例を示したが、遠隔監視端末１１にエレベーター１の運転状態、及び乗りかご内の人の有無を確認する手段を設け、遠隔監視端末１１からエレベーター１へ書き換え開始指令を送信することにより、自動的に新しいエレベーター制御プログラムの書き換えを実行することができる。例えば、エレベーター１の走行信号状態を遠隔監視端末装置１１に取り込むことにより、エレベーター１の運転状態を確認することができ、防犯カメラ３の映像信号を逐次遠隔監視端末に取り込み、一定時間映像信号に変化がなければ、人が乗っていないことが確認できる。
【００２３】
また、前記遠隔監視端末１１による自動的にエレベーター制御プログラムの書き換えを実行する形態において、エレベーター１自体が運転状態、及び乗りかご内の人の有無を判定し、書き換え開始を実行する機能を設けることにより、遠隔監視端末１１を使用せずとも同等の機能を実現することができる。
【図面の簡単な説明】
【００２４】
【図１】本発明のエレベーター制御プログラム書き換え装置の、機器構成の一例を示すブロック構成図である。
【図２】本発明のエレベーター制御プログラム書き換え装置の、一実施形態を示すフロー図である。
【図３】本発明のエレベーター制御プログラム書き換え装置の、書き換え操作を行う操作画面の一例を示す画面例である。
【符号の説明】
【００２５】
１  エレベーター
２  エレベーター乗りかご
３  防犯カメラ
４  会話装置
５  エレベーターの通信部
６  エレバーターの制御部
７  エレベーターの第１記憶部
８  エレベーターの第２記憶部
１１  遠隔監視端末
１２  遠隔監視端末の制御部
１３  遠隔監視端末の第１通信部
１４  遠隔監視端末の第２通信部
２１  一般公衆回線
３１  監視センター装置
３２  監視センター装置の制御部
３３  監視センター装置の通信部
３４  監視センター装置の入力部
３５  監視センター装置の表示部
３６  監視センター装置の記憶部
３７  監視センター装置の通話装置
４１  監視センター装置を操作する作業員
【図１】
2007001734.tif 000003
【図２】
2007001734.tif 000004
【図３】
2007001734.tif 000005